(57)【要約】 【課題】  モノトーン印刷とカラー印刷にそれぞれ適した走査方法を設定する技術を提供する。【解決手段】  インクジェットプリンタは、複数のインクノズルを有する印刷ヘッドを走査させることによって印刷を行うものであり、モノトーン印刷モードとカラー印刷モードとを有している。同一の印刷媒体と同一の印刷解像度を用いる条件下において、モノトーン印刷モードにおける平均パス数が、カラー印刷モードにおける平均パス数よりも大きな値に設定される。【選択図】  図８
2006305758.tif 000002
【特許請求の範囲】
【請求項１】
複数のインクノズルを有する印刷ヘッドを走査させることによって印刷を行うインクジェットプリンタであって、
モノトーン印刷モードとカラー印刷モードとを有し、
前記モノトーン印刷モードと前記カラー印刷モードにおいて、各走査ライン上におけるインクノズルの走査パス数の平均値である平均パス数が、１以上の値にそれぞれ設定されており、
同一の印刷媒体と同一の印刷解像度を用いる条件下において、前記モノトーン印刷モードにおける平均パス数が、前記カラー印刷モードにおける平均パス数よりも大きな値に設定されている、インクジェットプリンタ。
【請求項２】
請求項１記載のインクジェットプリンタであって、
設定された印刷条件に応じて画像データから印刷データを生成する印刷データ生成部と、
前記印刷データに従って印刷を実行する印刷機構と、
を備え、
前記印刷データ生成部は、
前記モノトーン印刷モードのための走査方法と、前記カラー印刷モードのための走査方法とを予め記憶する走査方法記憶部と、
色変換ルックアップテーブルを使用して画像データをインク量データに変換する色変換部と、
前記インク量データに対してハーフトーン処理を実行することによって、画素毎のドットの形成状態を表すドットデータを生成するハーフトーン処理部と、
前記設定された印刷条件に応じて前記走査方法記憶部から走査方法を読み出すとともに、読み出された走査方法に従って前記ドットデータの配列を調整するデータ配列部と、
を有する、インクジェットプリンタ。
【請求項３】
請求項２記載のインクジェットプリンタであって、
前記色変換ルックアップテーブルは、前記モノトーン印刷モード用の第１の色変換ルックアップテーブルと、前記カラー印刷モード用の第２の色変換ルックアップテーブルとを含んでおり、
無彩色の入力値に対するインク量データ出力に関して、前記第１の色変換ルックアップテーブルは第２の色変換ルックアップテーブルよりも有彩色インクの量が少なく設定されている、インクジェットプリンタ。
【請求項４】
画像データから印刷データを作成するためのプリンタドライバであって、
モノトーン印刷モードとカラー印刷モードとを有し、
前記モノトーン印刷モードと前記カラー印刷モードにおいて、各走査ライン上におけるインクノズルの走査パス数の平均値である平均パス数が、１以上の値にそれぞれ設定されており、
同一の印刷媒体と同一の印刷解像度を用いる条件下において、前記モノトーン印刷モードにおける平均パス数が、前記カラー印刷モードにおける平均パス数よりも大きな値に設定されている、プリンタドライバ。
【発明の詳細な説明】
【技術分野】
【０００１】
この発明は、モノトーン印刷とカラー印刷を実行可能なプリンタに関する。
【背景技術】
【０００２】
インクジェットプリンタを用いて、カラー印刷やモノトーン印刷などの種々の印刷を行うことが可能である。モノトーン印刷としては、無彩色画像の印刷（狭義の「モノクロ印刷」）と、無彩色に若干の色調が付与された画像を再現する印刷（狭義の「モノトーン印刷」）とがある。モノトーン画像の色調としては、ニュートラル調と、ウォーム調と、クール調と、セピア調が用いられることが多い。なお、本明細書では、特に断らない限り、「モノトーン印刷」は狭義のモノクロ印刷も含む広義の意味で使用される。モノトーン画像を印刷する技術は、例えば下記の特許文献１〜４に開示されている。
【０００３】
【特許文献１】特開平１１−１９６２８５号公報
【特許文献２】特開２００２−３３１６９３号公報
【特許文献３】特開２００２−３３７３２３号公報
【特許文献４】特開２００４−１４２４２３号公報
【０００４】
しかし、従来は、同じプリンタにおいてモノトーン印刷とカラー印刷を行うためにそれぞれの走査方法をどのように設定すべきかについては、あまり工夫されていないのが実情であった。
【発明の開示】
【発明が解決しようとする課題】
【０００５】
本発明は、モノトーン印刷とカラー印刷にそれぞれ適した走査方法を設定する技術を提供することを目的とする。
【課題を解決するための手段】
【０００６】
上記目的を達成するために、本発明によるインクジェットプリンタは、複数のインクノズルを有する印刷ヘッドを走査させることによって印刷を行うインクジェットプリンタであって、モノトーン印刷モードとカラー印刷モードとを有し、前記モノトーン印刷モードと前記カラー印刷モードにおいて、各走査ライン上におけるインクノズルの走査パス数の平均値である平均パス数が、１以上の値にそれぞれ設定されており、同一の印刷媒体と同一の印刷解像度を用いる条件下において、前記モノトーン印刷モードにおける平均パス数が、前記カラー印刷モードにおける平均パス数よりも大きな値に設定されている。
【０００７】
一般に、モノトーン印刷モードはカラー印刷モードよりもバンディングが目立ちやすい傾向にある。そこで、モノトーン印刷モードにおける平均パス数をカラー印刷モードにおける平均パス数よりも大きな値に設定することによって、モノトーン印刷モードにおけるバンディングを軽減することができる。
【０００８】
上記プリンタは、設定された印刷条件に応じて画像データから印刷データを生成する印刷データ生成部と、前記印刷データに従って印刷を実行する印刷機構と、を備えるものとしてもよい。前記印刷データ生成部は、前記モノトーン印刷モードのための走査方法と、前記カラー印刷モードのための走査方法とを予め記憶する走査方法記憶部と、色変換ルックアップテーブルを使用して画像データをインク量データに変換する色変換部と、前記インク量データに対してハーフトーン処理を実行することによって、画素毎のドットの形成状態を表すドットデータを生成するハーフトーン処理部と、前記設定された印刷条件に応じて前記走査方法記憶部から走査方法を読み出すとともに、読み出された走査方法に従って前記ドットデータの配列を調整するデータ配列部と、を有するものとすることができる。
【０００９】
この構成によれば、モノトーン印刷モードとカラー印刷モードに適した走査方法で印刷を行うための印刷データを作成し、この印刷データに従って印刷を実行することができる。
前記色変換ルックアップテーブルは、前記モノトーン印刷モード用の第１の色変換ルックアップテーブルと、前記カラー印刷モード用の第２の色変換ルックアップテーブルとを含んでおり、無彩色の入力値に対するインク量データ出力に関して、前記第１の色変換ルックアップテーブルは第２の色変換ルックアップテーブルよりも有彩色インクの量が少なく設定されているものとしてもよい。
【００１０】
この構成では、無彩色の再現において、モノトーン印刷モードの方がいわゆるコンポジットブラックの量が少なく、従ってバンディングが発生し易い傾向にある。そこで、モノトーン印刷モードにおける平均パス数をカラー印刷モードにおける平均パス数よりも大きな値に設定することによって、モノトーン印刷モードにおけるバンディングを軽減することができる。
【００１１】
なお、本発明は、種々の形態で実現することが可能であり、例えば、印刷方法および印刷装置、印刷制御方法および印刷制御装置、それらの方法または装置の機能を実現するためのコンピュータプログラム、そのコンピュータプログラムを記録した記録媒体、そのコンピュータプログラムを含み搬送波内に具現化されたデータ信号、等の形態で実現することができる。
【発明を実施するための最良の形態】
【００１２】
Ａ．第１実施例：
図１は、本発明の一実施例としての画像処理システムを示すブロック図である。この画像処理システムは、コンピュータ１０と、スキャナ２０と、カラープリンタ３０とを備えている。
【００１３】
スキャナ２０は、原画から画像データＤＴ２を読み取ってコンピュータ１０へ出力する。コンピュータ１０は、この画像データＤＴ２に基づいて表示部２２に画像を表示し、カラープリンタ３０に画像を印刷させる。読み込んだ画像をカラーで印刷したい場合には、画像データＤＴ２としてＲＧＢ信号が使用されるのが普通である。
【００１４】
コンピュータ１０では、所定のオペレーティングシステムの下で、アプリケーションプログラム４０が動作する。このオペレーティングシステムには、ディスプレイドライバ１７やプリンタドライバ４１が組み込まれている。アプリケーションプログラム４０からはプリンタドライバ４１を介して、カラープリンタ３０に転送するための画像データＤＴ１が出力される。
【００１５】
アプリケーションプログラム４０は、例えばフォトレタッチソフトであり、画像データＤＴ２に対して画像のレタッチなどの処理を行う。アプリケーションプログラム４０によって得られた処理済みの画像データＤＴ３は、ディスプレイドライバ１７やプリンタドライバ４１に与えられる。
【００１６】
アプリケーションプログラム４０が印刷命令を発すると、コンピュータ１０のプリンタドライバ４１が、処理済みの画像データＤＴ３を印刷信号ＤＴ１に変換してカラープリンタ３０に送信する。印刷信号ＤＴ１は、複数種類のインクのドット形成状態を示すデータ（ドットデータ）と、副走査送り量とを有している。
【００１７】
プリンタドライバ４１は、解像度変換モジュール４１ａと、色変換モジュール４１ｂと、色変換テーブル４１ｅと、ハーフトーンモジュール４１ｃと、ラスタライザ４１ｄと、ルックアップテーブル群４１ｅと、ユーザインタフェース部４２０と、走査方法記憶部４３０とを備えている。
【００１８】
ユーザインタフェース部４２０は、印刷条件設定画面（後述する）を表示部２２に表示するとともに、ユーザによって設定された印刷条件を取得して各処理モジュール４１ａ〜４１ｄに供給する。走査方法記憶部４３０は、個々の印刷条件において使用される走査方法を予め記憶している。具体的な走査方法の例については後述する。なお、走査方法を「走査モード」または「走査シーケンス」とも呼ぶ。
【００１９】
解像度変換モジュール４１ａは、アプリケーションプログラム４０から得られた画像データＤＴ３の解像度を印刷解像度に変換して画像データＤＴ４を得る。色変換モジュール４１ｂは、色変換テーブル４１ｅを用いて、解像度変換後の画像データＤＴ４に基づいて各画素毎にカラープリンタ３０が使用する各インク量を決定する。ハーフトーンモジュール４１ｃは、いわゆるハーフトーン処理を実行することによって、画素毎のドットの形成状態を表すドットデータを生成する。ラスタライザ４１ｄはカラープリンタ３０に転送すべきデータ順にドットデータを並べ替え、最終的な印刷データとしての印刷信号ＤＴ１をカラープリンタ３０に出力する。このデータの並べ替えは、１回の主走査時に印刷ヘッドによって形成されるドットに関するドットデータのみを選択的に配列する処理である。なお、ラスタライザ４１ｄはデータ配列部に相当し、カラープリンタ３０は印刷機構に相当する。
【００２０】
色変換モジュール４１ｂは、色変換テーブル４１ｅを参照して、画像データＤＴ４をインク量データに変換する。カラー印刷が行われる場合には３次元ルックアップテーブル（ＬＵＴ：Look Up Table）４１１が使用され、モノトーン印刷が行われる場合には１次元ルックアップテーブル４１３が使用される。
【００２１】
モノトーン印刷の対象となるモノトーン画像としては、スキャナ２０において読み込んだ画像がモノクロ画像（白黒画像）である場合にはそのモノクロ画像をそのまま用いることができる。あるいは、スキャナ２０において読み込んだ画像がカラー画像であっても、アプリケーションプログラム４０による色補正によってモノトーン画像に変換することができる。原画がカラー画像の場合には、カラー画像をモノトーン画像に変更することが可能である。なお、白黒画像に、ウォーム調、クール調、セピア調などの色調を付与することによって、所望の色調のモノトーン画像を生成することが可能である。この場合には、モノトーン画像の色調を設定するための色調設定画面がユーザインタフェース部４２０によって表示部２２上に表示されることが好ましい。このような色調設定画面としては、例えば色調を選択するためのカラーサークルを有するものを利用可能である。
【００２２】
図２は、プリンタ３０の印刷ヘッド１００におけるノズル配列を示す説明図である。印刷ヘッド１００には、６種類のインクＫ１，Ｋ２，Ｋ３，Ｃ，Ｍ，Ｙを吐出するための６つのノズルアレイが設けられている。この例では、濃度の異なる３種の無彩色インクＫ１，Ｋ２，Ｋ３と、シアンＣ、マゼンタＭ、イエロＹの３つの有彩色インクが使用可能である。３つの無彩色インクＫ１，Ｋ２，Ｋ３の中ではＫ１が最も濃度が高く、Ｋ２が中程度であり、Ｋ３が最も濃度が低い。なお、インクの種類としてはこれ以外の種々のものを利用可能である。
【００２３】
各インクのノズルアレイは、副走査方向Ｙに沿って一定のノズルピッチＰｎで配列された２０個のノズルでそれぞれ構成されている。以下では、各ノズルをノズル番号＃１〜＃２０で表す。これらの６組のノズルアレイは主走査方向Ｘに沿って順番に配置されており、各ノズルアレイにおける同じ番号のノズルは副走査方向Ｙの位置が同一である。なお、現実の印刷ヘッドでは、ノズル数はもっと多いことが好ましい。ノズルピッチＰｎは、副走査方向Ｙの画素ピッチＤのｋ倍（ｋは２以上の整数）に設定されていることが好ましい。なお、副走査方向の画素ピッチＤは、副走査方向の印刷解像度によって決まる値である。例えば、副走査方向の印刷解像度が３６０ｄｐｉの場合には画素ピッチＤは約７０μｍであり、７２０ｄｐｉの場合には画素ピッチＤは約３５μｍである。プリンタ３０が３６０ｄｐｉと７２０ｄｐｉの印刷解像度を利用可能な場合には、ノズルピッチＰｎは例えば１８０ｄｐｉに相当する値に設定される。このとき、印刷解像度が７２０ｄｐｉの場合には整数ｋの値は４になり、３６０ｄｐｉの場合には整数ｋの値は２になる。後述する走査方法の実施例では、整数ｋは４に設定されている。なお、以下では整数ｋを「ノズルピッチｋ」と呼ぶ場合もある。ｋは２以上の整数なので、いわゆるインターレース走査が行われる。
【００２４】
図３（Ａ），（Ｂ）は、カラー画像印刷用の３次元ＬＵＴ４１１と、モノトーン画像印刷用の１次元ＬＵＴ４１３の内容を比較して示す説明図である。これらはいずれも無彩色の階調を再現するための各インクのインク量を示している。横軸はグレー階調値（以下「グレー階調値」または「明度階調値」と称する）Ｑであり、縦軸は各インクの使用量である。なお、グレー階調値Ｑは、大きい値を採るほど明度が高い。
【００２５】
カラー印刷時には、３次元ＬＵＴ４１１を用いてグレー階調値Ｑを６種類のインクのインク量Ｋ１，Ｋ２，Ｋ３，Ｃ，Ｍ，Ｙに変換し、これらのインクによって無彩色を再現する。一方、モノトーン印刷時には、１次元ＬＵＴ４１３を用いてグレー階調値Ｑをインク量Ｋ１，Ｋ２，Ｋ３，Ｃ，Ｍ，Ｙに変換し、これらのインクによって無彩色を再現する。なお、「１次元ＬＵＴ」という名称は、入力が１次元（グレー階調値のみ）であることを意味している。１次元ＬＵＴの出力は、モノトーン印刷に使用される複数種類のインクの使用量を表す複数の値で構成される。
【００２６】
図３（Ａ），（Ｂ）に示すように、カラー印刷の場合もモノトーン印刷の場合も、無彩色の再現にＣＭＹの３つの原色インク（いわゆるコンポジットブラック）を用いることが好ましい。モノトーン印刷の場合、コンポポジットブラックを利用する理由は、カラーインクを使ってモノトーン画像の色調を制御できるとともに、バンディングを低減する効果があるからである。
【００２７】
また、図３（Ａ），（Ｂ）の例のように、モノトーン印刷ではカラー印刷に比べてコンポジットブラックの量（ＣＭＹインクの量）を減らすことが好ましい。この理由は、コンポジットブラックは、カラーインクＣ，Ｍ，Ｙの量のアンバランスが生じると無彩色からずれる可能性が高いからである。モノトーン印刷では、カラー印刷に比べて微妙な色調のずれが目立ち易く、画質劣化として認識されやすい。この理由は、無彩色に近い色では、色調のずれに対する目の感受性が高いからである。従って、モノトーン印刷では、コンポジットブラックの量を減らして、色調がずれる可能性を低減しておくことが好ましい。但し、上述したように、モノトーン印刷においても無彩色インクＫ１〜Ｋ３のみでなく、コンポジットブラックも利用することが好ましい。
【００２８】
図４は、プリンタドライバ４１を用いて印刷する場合に表示部２２（図１）に表示される印刷条件設定画面２００を示している。この画面２００は、色調設定用画面と、用紙設定用画面と、レイアウト用画面と、ユーティリティ用画面の４つの画面をタブで切り替えられるように構成されている。図４に示す色調設定画面では、用紙選択部２１０と、カラーモード選択部２２０と、画質モード設定部２３０と、を有している。用紙選択部２１０は、光沢紙や普通紙を含む複数種類の印刷媒体の中から印刷に使用する印刷媒体を選択するためのものである。カラーモード選択部２２０は、カラー印刷モードとモノトーン印刷モードのうちの一方を選択するためのものである。画質モード設定部２３０は、印刷画質に影響する種々の画像処理条件や印刷条件を設定するためのものである。この画質モード設定部２３０は、「推奨設定」と「自動画質調整」と「詳細設定」の３つの選択肢のうちの１つを選択するための設定方法選択部２３２と、「きれい」と「速い」の２つの画質レベルのうちの１つを選択するための走査モード選択部２３４とを含んでいる。設定方法選択部２３２の３つの選択肢は、実施例との関係が薄いのでその詳細な説明を省略する。
【００２９】
「きれい」と「速い」の２つの画質レベルは、印刷解像度の違いによって互いに異なる画質を達成するためのものである。「きれい」は比較的高い印刷解像度を意味しており、一方、「速い」は比較的低い印刷解像度を意味している。なお、３つ以上の画質レベル（すなわち解像度レベル）を使用することも可能である。本実施例では、カラー印刷モードとモノトーン印刷モードにおいて、「きれい」と「速い」の２つの画質レベルを共通に適用可能である。
【００３０】
本実施例では、カラーモード以外の印刷条件が同一の場合において、カラー印刷モードとモノトーン印刷モードにおいて異なる走査方法が使用される。以下では、同一の印刷媒体（例えば光沢紙）が選択され、かつ、画質モード設定部２３０において「きれい」が選択されている場合における走査方法の例について説明する。
【００３１】
図５は、第１実施例のカラー印刷モードにおける走査方法を示している。ここでは、１種類のインクの２０個のノズル＃１〜＃２０によって印刷ヘッド１００を代表しており、パス１からパス９までの９回の主走査におけるヘッド１００の位置が示されている。本明細書においては、インクドットを形成するための１回の主走査を「パス」と呼ぶ。２０個のノズル＃１〜＃２０は、１回の主走査が終了する度に副走査方向に送られる。但し、実際には、副走査方向の送りは、副走査駆動機構（図示せず）によって印刷用紙を移動させることによって実現されている。図５の上部に示すように、この例では副走査送り量は９ドットの一定値である。従って、副走査送りが行われる度に、２０個のノズルの位置が９ドットずつ副走査方向にずれてゆく。このような一定の副走査送り量を用いる走査方法は、「定則送り」と呼ばれている。定則送りの代わりに、複数の異なる副走査送り量を組み合わせて用いる「変則送り」を利用することも可能である。
【００３２】
図５の例では、上端のノズル＃１と下端のノズル＃２０は不使用ノズルであり、他のノズル＃２〜＃１９が使用ノズルである。「使用ノズル」とは、インクドットの形成を行うための主走査において、ドット形成を担当する画素位置が割り当てられているノズルである。従って、それらの担当画素位置においてドットを形成すべきときには、使用ノズルからインクが吐出される。一方、「不使用ノズル」とは、インクドットの形成のための主走査において、ドット形成を担当する画素位置が割り当てられていないノズルである。従って、不使用ノズルからはインクが吐出されることは無い。通常は、複数のインクに関する使用ノズルの数は互いに等しい。この例では、使用ノズル数は１８である。
【００３３】
図５の右下には、複数の走査ラインＬ１〜Ｌ９上を走査するノズル番号の組み合わせが示されている。図６は、図５の走査ラインＬ１〜Ｌ９の部分を拡大して示す図である。例えば、走査ラインＬ１の１番目の画素Ｐ１のドットはノズル＃１７によって記録され、２番目の画素Ｐ２のドットはノズル＃８によって記録される。３番目以降の画素においても、この２画素毎のノズルの割り当て｛＃１７，＃８｝が繰り返される。すなわち、奇数番目の画素のドットはノズル＃１７によって記録され、偶数番目のドットはノズル＃８によって記録される。このように走査ラインＬ１上のドットの形成は、２つの異なるノズルによって完了し、このために要する主走査の回数（すなわちパス数）は２である。他の走査ラインも同様に、２つの異なるノズルによって走査され、そのパス数は２である。従って、走査ライン当たりの平均パス数も２である。なお、一般に、平均パス数は１以上の値に設定される。
【００３４】
図７は、第１実施例のモノトーン印刷モードにおける走査方法を示している。このモノトーン印刷では、副走査送り量は５ドットの一定値であり、２０個のすべてのノズル＃１〜＃２０が使用ノズルである。
【００３５】
図７の右下には、複数の走査ラインＬ１１〜Ｌ１７上を走査するノズル番号の組み合わせが示されている。図８は、図７の走査ラインＬ１１〜Ｌ１７の部分を拡大して示す図である。例えば、走査ラインＬ１１上の各画素へのノズルの割り当ては｛＃１６，＃１１，＃６，＃１｝の順であり、この４画素毎のノズルの割り当て｛＃１６，＃１１，＃６，＃１｝が繰り返される。これから理解できるように、走査ラインＬ１１のパス数４である。他の走査ラインも同様にパス数は４である。従って、走査ライン当たりの平均パス数も４である。
【００３６】
図６と図８とを比較すれば理解できるように、第１実施例では、印刷媒体と印刷解像度が同一の条件下において、モノトーン印刷モードにおける平均パス数は４であり、カラー印刷モードにおける平均パス数（＝２）よりも大きな値に設定されている。これによって以下のような効果が期待できる。一般に、モノトーン印刷モードではカラー印刷モードよりも単位面積当たりのドット数が少ない傾向がある。この理由は、カラー印刷では多数の色を再現するために異なる色の多数のインクドットが必要になるのに対して、モノトーン印刷ではそのような必要性が低いからである。単位面積当たりのドット数が少ないと、バンディングが目立ちやすくなる。ここで、「バンディング」とは走査方向に伸びる筋状の画質劣化部分を意味している。例えば、ドット位置が副走査方向にずれると、隣接する２本の走査ライン同士の隙間が過度に広くなって、２本の走査ライン上のドット同士が離れてしまう場合がある。逆に、隣接する２本の走査ライン同士の隙間が過度に狭くなって、２本の走査ライン上のドット同士が大幅に重なり合ってしまう場合も発生しうる。このような隣接する２本の走査ライン同士の隙間や重なりは、「バンディング」として観察される。このようなバンディングは、パス数を増加することで低減することが可能である。すなわち、実際のノズルからのインク吐出位置は、副走査方向に多少ずれる傾向にある。従って、各走査ライン上のドット形成を多くのノズルで実行すれば、その走査ライン上のドット位置を副走査方向に分散させることができる。仮に、１個のノズルで各走査ライン上のドットを形成すると隣接する走査ラインの間に隙間や重なりが生じる場合にも、複数のノズルでその走査ライン上のドットを形成するようにすれば、その隙間や重なりを少なくすることができる。このように、一般に、バンディングは、パス数を増加させることによって低減することが可能である。ところで、上述したように、モノトーン印刷はカラー印刷よりも単位面積当たりのドット数が少ないためにバンディングが目立ち易い傾向にある。そこで、モノトーン印刷モードにおける平均パス数をカラー印刷モードにおける平均パス数よりも大きな値に設定することによって、モノトーン印刷モードにおいてバンディングが過度に目立つことを防止することができる。
【００３７】
なお、印刷解像度が同一の条件下では、印刷速度は副走査送り量の平均値にほぼ比例する。従って、印刷速度の点では副走査送り量が多い方が好ましい。カラー印刷モードの走査方法は、十分な印刷速度を達成しつつ、バンディングも許容範囲内に抑えた走査方法として構成されている。
【００３８】
また、図３（Ａ），（Ｂ）で説明したように、本実施例では、カラー印刷モードにおいて、無彩色の再現のためのコンポジットブラックの使用量がモノトーン印刷モードにおけるコンポジットブラックの使用量よりも多くなるように設定されている。コンポジットブラックが少ないと単位面積当たりのドット数も少なくなるので、バンディングも目立ちやすくなる傾向にある。このように、無彩色の再現において、カラー印刷モードでのコンポジットブラックの使用量がモノトーン印刷モードでのコンポジットブラックの使用量よりも多い場合には、モノトーン印刷モードにおける平均パス数をカラー印刷モードにおける平均パス数よりも大きな値に設定することによる効果が顕著であると期待できる。
【００３９】
図５〜図８に示した走査方法は、不揮発メモリである走査方法記憶部４３０に予め記憶されている。ラスタライザ４１ｄは、この走査方法に従って、プリンタ３０に転送すべきデータ順にドットデータを並べ替え、最終的な印刷データＤＴ１を生成する。
【００４０】
以上説明したように、第１実施例では、印刷媒体と印刷解像度が同一の条件下においてモノトーン印刷モードにおける平均パス数をカラー印刷モードにおける平均パス数よりも大きな値に設定したので、モノトーン印刷におけるバンディングを目立たなくすることができ、また、カラー印刷モードにおいては、高画質を維持しつつ十分な印刷速度を得ることができる。
【００４１】
なお、平均パス数に関する上述の関係は、すべての印刷解像度で成立している必要は無く、少なくとも１つの印刷解像度で成立していればよい。この場合に、その印刷媒体に関して利用可能な複数の印刷解像度のうちで、最も高い解像度に関して上述の平均パス数に関する関係が成立していることが好ましい。
【００４２】
Ｂ．第２実施例：
図９は、第２実施例のカラー印刷モードにおける走査方法を示している。このカラー印刷では、副走査送り量は９ドットの一定値であり、２０個のすべてのノズル＃１〜＃２０が使用ノズルである。なお、第２実施例は、装置構成は第１実施例と同じであり、走査方法だけが第１実施例と異なっている。
【００４３】
図９の右下には、複数の走査ラインＬ２１〜Ｌ２９上を走査するノズル番号の組み合わせが示されている。図１０は、図９の走査ラインＬ２１〜Ｌ２９の部分を拡大して示す図である。例えば、走査ラインＬ２１上の各画素へのノズルの割り当ては｛＃１９，＃１０，＃１，＃１０｝の順であり、この４画素毎のノズルの割り当て｛＃１９，＃１０，＃１，＃１０｝が繰り返される。ここで、ノズル＃１０は、偶数位置の画素Ｐ２，Ｐ４，Ｐ６，Ｐ８…のドットの形成を担当していることが理解できる。また、奇数位置の画素Ｐ１，Ｐ３，Ｐ５，Ｐ７…におけるドットの形成は、ノズル＃１９とノズル＃１が交互に担当している。このように、走査ラインＬ２１は３つのノズルで走査されるので、そのパス数３である。一方、走査ラインＬ２２上におけるドットの形成は、２つのノズル＃８，＃１７によって行われるので、そのパス数は２である。図１０の右端を見れば理解できるように、副走査方向には、パス数が３である走査ラインが１本現れた後に、パス数が２である走査ラインが４本現れており、このパターンが繰り返される。従って、この走査方法の平均パス数は２．２である。なお、一般に、平均パス数は、使用ノズル数を平均副走査送り量で割った値に等しい。
【００４４】
図１０の例のように平均パス数が少数部分を含む走査方法は、「部分オーバーラップ印刷」とも呼ばれている。これに対して、平均パス数が整数である走査方法は、「フルオーバーラップ印刷」とも呼ばれている。
【００４５】
図１１は、第２実施例のモノトーン印刷モードにおける走査方法を示している。このモノトーン印刷では、副走査送り量は７ドットの一定値である。また、このモノトーン印刷では、両端のノズル＃１，＃２０は不使用ノズルであり、他の１８個のノズル＃２〜＃１８が使用ノズルである。
【００４６】
図１１の右下には、複数の走査ラインＬ３１〜Ｌ３９上を走査するノズル番号の組み合わせが示されている。図１２は、図１１の走査ラインＬ３１〜Ｌ３９の部分を拡大して示す図である。例えば、走査ラインＬ３１上の各画素へのノズルの割り当ては｛＃１９，＃１２，＃５，＃１２｝の順であり、この４画素毎のノズルの割り当て｛＃１９，＃１２，＃５，＃１２｝が繰り返される。ここで、ノズル＃１２は、偶数位置の画素Ｐ２，Ｐ４，Ｐ６，Ｐ８…のドットの形成を担当している。また、奇数位置の画素Ｐ１，Ｐ３，Ｐ５，Ｐ７…におけるドットの形成は、ノズル＃１９とノズル＃５が交互に担当している。このように、走査ラインＬ３１は３つのノズルで走査されるので、そのパス数３である。一方、走査ラインＬ３２上のドットの形成は、２つのノズル＃７，＃１４によって行われるので、走査ラインＬ３２のパス数は２である。図１２の右端を見れば理解できるように、副走査方向には、パス数が３である走査ラインとパス数が２である走査ラインとが所定の順番で現れる。前述したように、平均パス数は、使用ノズル数を平均副走査送り量で割った値に等しく、図１２の例では平均パス数は２．６である。
【００４７】
図１０と図１２とを比較すれば理解できるように、第２実施例においても、印刷媒体と印刷解像度が同一の条件下において、モノトーン印刷モードにおける平均パス数（＝２．６）が、カラー印刷モードにおける平均パス数（＝２．２）よりも大きな値に設定されている。従って、モノトーン印刷におけるバンディングを目立たなくすることができる。また、カラー印刷モードにおいても、高画質を維持しつつ十分な印刷速度を得ることができる。
【００４８】
なお、第１実施例ではモノトーン印刷モードとカラー印刷モードの両方がフルオーバーラップ印刷であり、これに対して、第２実施例では両方が部分オーバーラップ印刷である。但し、モノトーン印刷モードとカラー印刷モードの一方をフルオーバーラップ印刷とし、他方を部分オーバーラップ印刷とすることも可能である。
【００４９】
Ｃ．変形例：
なお、この発明は上記の実施例や実施形態に限られるものではなく、その要旨を逸脱しない範囲において種々の態様において実施することが可能であり、例えば次のような変形も可能である。
【００５０】
Ｃ１．変形例１：
上記実施例では、Ｃ，Ｍ，Ｙ，Ｋ１，Ｋ２，Ｋ３の６種類のインクを用いて印刷を行う場合について説明したが、本発明は、任意の種類のインクを用いる場合に適用可能である。例えば、Ｃ，Ｍ，Ｙ，Ｋ１，Ｋ２，Ｋ３，Ｌｃ（ライトシアンインク），Ｌｍ（ライトマゼンタインク）の８種類のインクを用いて印刷を行う場合にも適応できる。
【００５１】
Ｃ２．変形例２：
上記実施例では、インクジェットプリンタについて説明したが、本発明は、一般にカラー印刷機能とモノトーン印刷機能を有する装置に適用可能であり、ファクシミリやコピー機にも適用可能である。
【図面の簡単な説明】
【００５２】
【図１】本発明の一実施例としての画像処理システムを示すブロック図である。
【図２】印刷ヘッドにおけるノズル配列を示す説明図である。
【図３】カラー印刷用の３次元ＬＵＴとモノトーン印刷用の１次元ＬＵＴの内容を示す説明図である。
【図４】印刷条件設定画面を示す説明図である。
【図５】第１実施例のカラー印刷モードにおける走査方法を示す説明図である。
【図６】図５の走査ラインＬ１〜Ｌ９の部分を拡大して示す図である。
【図７】第１実施例のモノトーン印刷モードにおける走査方法を示す説明図である。
【図８】図７の走査ラインＬ１１〜Ｌ１７の部分を拡大して示す図である。
【図９】第２実施例のカラー印刷モードにおける走査方法を示す説明図である。
【図１０】図９の走査ラインＬ２１〜Ｌ２９の部分を拡大して示す図である。
【図１１】第２実施例のモノトーン印刷モードにおける走査方法を示す説明図である。
【図１２】図１１の走査ラインＬ３１〜Ｌ３９の部分を拡大して示す図である。
【符号の説明】
【００５３】
９…パス
１０…コンピュータ
１７…ディスプレイドライバ
２０…スキャナ
２２…表示部
３０…カラープリンタ
４０…アプリケーションプログラム
４１…プリンタドライバ
４１ａ…解像度変換モジュール
４１ｂ…色変換モジュール
４１ｃ…ハーフトーンモジュール
４１ｄ…ラスタライザ
４１ｅ…色変換ルックアップテーブル群
１００…印刷ヘッド
２００…印刷条件設定画面
２１０…用紙選択部
２２０…カラーモード選択部
２３０…画質モード設定部
２３２…設定方法選択部
２３４…走査モード選択部
４２０…ユーザインタフェース部
４３０…走査方法記憶部
【図１】
2006305758.tif 000003
【図２】
2006305758.tif 000004
【図３】
2006305758.tif 000005
【図４】
2006305758.tif 000006
【図５】
2006305758.tif 000007
【図６】
2006305758.tif 000008
【図７】
2006305758.tif 000009
【図８】
2006305758.tif 000010
【図９】
2006305758.tif 000011
【図１０】
2006305758.tif 000012
【図１１】
2006305758.tif 000013
【図１２】
2006305758.tif 000014